(57)【要約】【課題】突状の電極端子を有した電極導子を適切に収納できる容器を提供する。【解決手段】電極板１１から隆起する突状の接続端子部１３を有する電極導子１０および接続端子部１３に貫通装着される粘着シートを含む電気刺激部材を収納する収納容器部３１と、収納容器部３１を開閉する蓋部材３２と、収納容器部３１は、板厚方向視において矩形の底面板部３１aを有しており、底面板部３１aには、電極板１１が着脱可能に固定される第１の係合リブ形状部３４と、第１の係合リブ形状部３４に電極板１１を固定した状態で、接続端子部に貫通装着される粘着シートの装着時の位置決めに用いられる第１の目印部３９１と、を形成していることを特徴とする電気刺激部材の収納容器。【選択図】図３（a）
2011104745.tif 000002
【特許請求の範囲】
【請求項１】
電極板から隆起する突状の接続端子部を有する電極導子および前記接続端子部に貫通装着される導電性を有した粘着シートを含む電気刺激部材を収納する第１の収納容器部と、
前記第１の収納容器部内に前記電気刺激部材を密閉する閉状態と、前記第１の収納容器部内の前記電気刺激部材を前記第１の収納容器部の外部に取り出し可能な開状態との間で動作可能な蓋部材と、
前記第１の収納容器は、板厚方向視において矩形の底面板部を有しており、
前記底面板部には、
前記電極板が着脱可能に固定される第１の係合リブ形状部と、
前記第１の係合リブ形状部に前記電極板を固定した状態で、前記接続端子部に貫通装着される前記粘着シートの装着時の位置決めに用いられる第１の目印部と、を形成していることを特徴とする電気刺激部材の収納容器。
【請求項２】
前記蓋部材は、板厚方向視において矩形の底面板部を有しており、
前記底面板部には、
前記電極板が着脱可能に固定される第２の係合リブ形状部と、
前記第２の係合リブ形状部に前記電極板を固定した状態で、前記接続端子部に貫通装着される前記粘着シートの装着時の位置決めに用いられる第２の目印部と、を形成していることを特徴とする請求項１に記載の電気刺激部材の収納容器。
【請求項３】
前記閉状態において、前記第１の収納容器に収納した前記接続端子部及び前記第２の収納容器に収納した前記接続端子部が互いに干渉しないように、前記第１および第２の係合リブ形状部の形成位置を設定していることを特徴とする請求項１又は２に記載の電気刺激部材の収納容器。
【請求項４】
前記閉状態において、前記第１および第２の係合リブ形状部は、前記底面板部を含む面内方向の形成位置が互いに異なることを特徴とした請求項３に記載の電気刺激部材の収納容器。
【請求項５】
前記電極板は、
前記接続端子部が中心に設けられた円形状部と、
前記円形状部から離間する方向に末広がりの形状をなし、前記円形状部に対して互いに点対称な一対の末広がり環状部とを有し、
前記第１の係合リブ形状部は、前記円形状部を着脱可能に固定するために設けられており、
前記底面板部には、前記末広がり環状部よりも幅が広い第１の末広がり環状収納リブ形状部が形成されていることを特徴とする請求項１乃至４に記載の電気刺激部材の収納容器。
【発明の詳細な説明】
【技術分野】
【０００１】
本発明は、電気刺激部材の収納容器に関する。
【背景技術】
【０００２】
低周波治療器の電極導子を保管する容器として、以下の特許文献が開示されている。特許文献１及び２は、導子収納板に設けた電極導子の形状に沿った凹部を片面に並列または表裏に形成し、その凹部に一対の導子電極部を収納する低周波治療器の導子収納板を開示する。特許文献３及び４は、導子を密閉状態に収納するケースであって、上面が開口する容器状をしており、開口部分には蓋が開閉自在に取り付けられ、埃などの侵入を防ぐ治療器のケースを開示する。特許文献５及び６は、生体電極を収納する容器自体を水分吸収素材として、粘着パッドの粘着力を保持するために、収納容器の湿度を一定に保つようにした導電性粘着パッド保管容器を開示する。特許文献７は、導子を張り付ける際の位置決めをする収納壁、および導子の粘着性を保つように保管しながら、収納具から導子を剥がしやすくする導子収納具を開示する。【０００３】
【特許文献１】実公第２５５２５４２号公報
【特許文献２】特開平３−２６７７号公報
【特許文献３】実公平８−１０３１３号公報
【特許文献４】特開平３−１６２８６９号公報
【特許文献５】特開平７−３１５９８号公報
【特許文献６】特開２０００−３０８６２１号公報
【特許文献７】特開平１０−１９２４１７号公報
【発明の概要】
【発明が解決しようとする課題】
【０００４】
しかしながら、これらの特許文献１〜７に開示された収納容器は、電極板から隆起する突状の接続端子を有する電極導子を収容することを考慮したものではない。
そこで、本発明は、突状の電極端子を有した電極導子を適切に収納できる容器を提供することを目的とする。
【課題を解決するための手段】
【０００５】
上記課題を解決するために、本願発明の電気刺激部材の収納容器は、（１）電極板から隆起する突状の接続端子部を有する電極導子および前記接続端子部に貫通装着される導電性を有した粘着シートを含む電気刺激部材を収納する第１の収納容器部と、前記第１の収納容器部内に前記電気刺激部材を密閉する閉状態と、前記第１の収納容器部内の前記電気刺激部材を前記第１の収納容器部の外部に取り出し可能な開状態との間で動作可能な蓋部材と、前記第１の収納容器は、板厚方向視において矩形の底面板部を有しており、前記底面板部には、前記電極板が着脱可能に固定される第１の係合リブ形状部と、前記第１の係合リブ形状部に前記電極板を固定した状態で、前記接続端子部に貫通装着される前記粘着シートの装着時の位置決めに用いられる第１の目印部と、を形成していることを特徴とする。【０００６】
（２）（１）の構成において、前記蓋部材は、板厚方向視において矩形の底面板部を有しており、前記底面板部には、前記電極板が着脱可能に固定される第２の係合リブ形状部と、前記第２の係合リブ形状部に前記電極板を固定した状態で、前記接続端子部に貫通装着される前記粘着シートの装着時の位置決めに用いられる第２の目印部と、を形成することができる。【０００７】
（３）（１）又は（２）の構成において、前記閉状態において、前記第１の収納容器に収納した前記接続端子部及び前記第２の収納容器に収納した前記接続端子部が互いに干渉しないように、前記第１および第２の係合リブ形状部の形成位置を設定することができる。【０００８】
（４）（３）の構成において、前記閉状態において、前記第１および第２の係合リブ形状部は、前記底面板部を含む面内方向の形成位置が互いに異ならせることができる。【０００９】
（５）（１）乃至（４）の構成において、前記電極板は、前記接続端子部が中心に設けられた円形状部と、前記円形状部から離間する方向に末広がりの形状をなし、前記円形状部に対して互いに点対称な一対の末広がり環状部とを有し、前記第１の係合リブ形状部は、前記円形状部を着脱可能に固定するために設けられており、前記底面板部には、前記末広がり環状部よりも幅が広い第１の末広がり環状収納リブ形状部が形成されている。
【発明の効果】
【００１０】
本発明によれば、粘着シートの突状端子部に対する貫通装着を容易に行うことができる。また、突状端子部及び粘着シートが外部から封止され、適切に保護することができる。
【図面の簡単な説明】
【００１１】
【図１】電極導子の斜視図である。
【図２】粘着シートの斜視図である。
【図３（ａ）】開状態における本発明の導子収納容器の斜視図である。
【図３（ｂ）】開状態における本発明の導子収納容器に電極導子を収納した概略図である。
【図３（ｃ）】開状態における本発明の導子収納容器に電極導子および粘着シートを収納した概略図である。
【図３（ｄ）】閉状態における本発明の導子収納容器の概略図である。
【発明を実施するための形態】
【００１２】
以下、本発明の実施形態について説明する。
【００１３】
図１、図２及び図３(ａ)、(ｄ)を参照しながら、本発明の実施形態である導子収納容器（収容容器）３０の概要を説明する。ここで、図１は電極導子１０の斜視図である。図２は粘着シート２０の斜視図である。図３（ａ）は開状態の導子収納容器３０の斜視図である。図３（ｄ）は閉状態の導子収納容器３０の斜視図である。なお、Ｘ軸、Ｙ軸及びＺ軸は互いに直交する異なる三軸を示している。
【００１４】
電極導子１０は、図１に示すように、平面視において、中央を円形とした円形状の円形状固定部材１１と、その円形状固定部材１１から離間する方向に末広がりの形状をなし、その円形状固定部材１１に対して互いに点対称な一対の末広がりの環形状とした末広がり環形状導電部材１２を結合させた薄板形状（電極板）とし、一方の面を導電面とし、他方の面を絶縁面としている。導電面には、薄板形状から隆起する突状の接続端子である突状端子部１３を設け、この突状端子部１３を不図示の電気刺激器の通電コードに接続する。また、この導電面側に含水ゲルを基材にした粘着導電面２１を有する粘着シート２０を貼付する。絶縁面側には、粘着シート２０を介して突状端子部１３からの通電電流（所定周波数のパルス信号）を使用者の患部に通電させる。
【００１５】
粘着シート２０は、略矩形の不織布等の薄型の柔らかいシートであり、片面に含水ゲルを基材にした粘着導電面２１を形成している（図２参照）。この粘着導電面２１は、粘着シート２０よりも面積が小さい略矩形形状に構成されており、未使用状態において、一般にプラスチックシート等の非透水性フィルムが貼着されている。使用状態において、電極導子１０に粘着シート２０を装着する際にフィルムを剥がして、電極導子１０の導電面に面するように接着させる。なお、本実施形態では粘着剤に含水ゲルを用いた冷却シートとしているが、導電性の粘着面を有するシートであればその他のものを使用しても良い。
【００１６】
また、粘着シート２０の粘着導電面２１には、種々の薬剤或いは化粧剤、さらには色素や香料等の各種成分が含有可能である。例えば、アスコルビン酸（ビタミンＣ成分），ｌ−メントール，サリチル酸メチル、等の種々の成分を粘着導電面２１に含有させる薬剤或いは化粧剤成分として用いることができる。
【００１７】
導子収納容器３０は、図３(ａ)に示すように、第１の導子収納部３１(第１の収納容器部)と第２の導子収納部３２（第２の収納容器部）とを含む。第１の導子収納部３１のＹ軸方向の一端面（外面）には、一対の軸受け部４０ａがＸ軸方向に並んで形成されている。この軸受け部４０ａには、回転軸部４０ｂが回転可能に支持されている。回転軸部４０ｂは、第２の導子収納部３２の外面に形成された図示しない腕部に固定されている。上述の構成によれば、第２の導子収納部３２を第１の導子収納部３１に対して回転軸部４０ｂ周りに回転させることができる。導子収容容器３０は、閉状態において、外気から略封止されている。
【００１８】
第１の導子収納部３１のＹ軸方向の他端面（外面）には、突状の爪係合部４１が形成されている。第２の導子収納部３２の回転軸部４０ｂとは反対側の外面には、約９０度に折れ曲がった回転ロック部４２が形成されている。この回転ロック部４２の内端面（図３（ｂ）では視認できない裏側の面）には、爪係合部４１に係合可能な爪部（不図示）が形成されている。回転ロック部４２は、Ｘ軸方向周りに回転可能に構成されている。回転ロック部４２は、前記爪部及び爪係合部４１を係合させて第１の導子収納部３１及び第２の導子収納部３２を閉じ状態にロックするロック位置と、前記爪部及び爪係合部４１の係合が断たれるロック解除位置との間で動作する。
【００１９】
第１の導子収納部３１は、有底筒状に形成されており、底面部３１ａとこの底面部３１ａの外縁から立ち上がるように形成された側壁部３１ｂとを含む。底面部３１ａはＺ軸方向視において矩形であり（ただし、隅部は曲面により形成されている）、底面部３１ａには、底面部３１ａの外縁に略沿って形成された第１の粘着シート収納リブ部３９１（第１の目印部）が形成されている。この第１の粘着シート収納リブ部３９１は、Ｚ軸方向視において矩形であり、粘着シート２０のサイズと略同じに設定されている。
【００２０】
底面部３１ａの略中央には、電極導子１０を着脱可能に固定するための第１の電極固定部３４が形成されている。この第１の電極固定部３４は、Ｚ軸方向視において円弧状の第１の円弧リブ部３４１とこの第１の円弧リブ部３４１に形成された第１の微小突起部３４２とを含む。第１の円弧リブ部３４１は、二つの第１の長円弧リブ部３４１ａと二つの第１の短円弧リブ部３４１ｂとを円周方向に所定の間隔を隔てて配置することにより構成されている。これらの第１の長円弧リブ部３４１ａはＹ軸方向において向き合っている。これらの第１の短円弧リブ部３４１ｂはＸ軸方向において向き合っている。第１の長円弧リブ部３４１ａ及び第１の短円弧リブ部３４１ｂの曲率半径は同じである。第１の円弧リブ部３４１の内径は、円形状固定部材１１の外径よりも僅かに大きく設定されている。第１の円弧リブ部３４１の高さ方向の寸法（Ｚ軸方向の寸法）は、円形状固定部材１１の板厚方向の寸法よりも大きく設定されている。第１の円弧リブ部３４１に包囲された領域に円形状固定部材１１は収納される。
【００２１】
第１の微小突起部３４２は、各第１の長円弧リブ部３４１ａの内面に形成されており、互いにＹ軸方向において向き合っている。これらの第１の微小突起部３４２を結ぶ２点間の距離は、円形状固定部材１１の直径よりも短く設定されている。これにより、第１の円弧リブ部３４１に包囲された領域に収納された円形状固定部材１１を第１の微小突起部３４２に当接させて、固定することができる。また、第１の微小突起部３４２をＹ軸方向において向き合って配置することにより、円形状固定部材１１をその直径方向の両端部において押さえることができる。これにより、円形状固定部材１１をより強固に固定することができる。
【００２２】
底面部３１ａには、一対の第１の末広がり環形状収納部３６が形成されている。これらの第１の末広がり環形状収納部３６は、第１の電極固定部３４を挟んだＸ軸方向の両側に形成されている。第１の末広がり環形状収納部３６は、第１の長円弧リブ部３４１ａの周方向の端部から側壁部３１ｂに向かって末広がりに延びる第１の外側リブ部３６ａと第１の短円弧リブ部３４１ｂの周方向の端部から側壁部３１ｂに向かって末広がりに延びる第１の内側リブ部３６ｂとを含む。第１の外側リブ部３６ａと第１の内側リブ部３６ｂとの間の間隔は、末広がり環形状導電部材１２の幅方向の寸法よりも大きく設定されている。末広がり環形状導電部材１２は、第１の外側リブ部３６ａと第１の内側リブ部３６ｂとに挟まれた領域に収容されている。したがって、第１の導子収納部３１に収容された電極導子１０のうち、円形状固定部材１１のみが固定され、末広がり環形状導電部材１２は固定されない。
【００２３】
次に、第２の導子収納部３２について説明する。第２の導子収納部３２は、第２の電極固定部４４、第２の円弧リブ部４４１、第２の長円弧リブ部４４１ａ、第２の短円弧リブ部４４１ｂ、第２の微小突起部４４２、第２の末広がり環形状収納部４６、第２の外側リブ部４６ａ、第２の内側リブ部４６ｂ及び第２の粘着シート収納リブ部４９１を含む。これらの構成は、第１の導子収納部３１の対応する構成要素と同じであるため詳細な説明を省略する。
【００２４】
ただし、導子収納容器３０の閉じ状態において、第１の電極固定部３４と第２の電極固定部４４との位置が底面部３１ａを含む面内方向において異なるように形成するのが好ましい。これにより、導子収納容器３０の閉じ状態において、第１の導子収納部３１及び第２の導子収納部３２にそれぞれ収納された電極導子１０の突状端子部１３が互いに干渉するのを防止することができる。本実施形態では、第１の電極固定部３４と第２の電極固定部４４との形成位置を容器長手方向（Ｘ軸方向）において異ならせている。
【００２５】
上述の構成によれば、導子収納容器３０の閉じ状態において、第１の導子収納部３１及び第２の導子収納部３２をより接近させた構造にすることができる。これにより、導子収納容器３０を容器高さ方向に小型化することができる。
【００２６】
上述の構成によれば、電気刺激の際に同時に使用される正極用の電極導子１０及び負極用の電極導子１０を一つのケース内にコンパクトに収納することができる。これにより、使用者の使い勝手をよくすることができる。
【００２７】
次に、電極導子１０と粘着シート２０との装着方法、および粘着シート２０を装着した電極導子１０の収納方法について説明する。第１及び第２の導子収納部３１、３２は構造が同じであるため、第１の導子収納部３１を中心に説明する。図３（ａ）に示すように、初期状態において、第１及び第２の導子収納部３１及び３２は開状態にあるものとする。
【００２８】
ステップ１では、電極導子１０の円形状固定部材１１を第１の円弧リブ部３４１の内面に沿うように位置決めする。このステップ１の段階において、円形状固定部材１１は、第１の微小突起部３４２の上端部に当接しているだけであり、固定前の状態である。
【００２９】
ステップ２では、円形状固定部材１１を底面部３１ａに向かって指で押しこむ。これにより、第１の微小突起部３４２が僅かに弾性変形して、円形状固定部材１１が第１の微小突起部３４２の側面に当接して挟圧されることにより、第１の電極固定部３４に固定される（図３（ｂ））。
【００３０】
ステップ３では、フィルムを剥がした粘着シート２０を、第１の粘着シート収納リブ部３９１に沿うように位置決めをする。このステップ３の段階において、突状端子部１３は、粘着シート２０に当接した状態であり、貫通装着はされていない（図３（ｃ））
【００３１】
ステップ４では、粘着シート２０の上から突状端子部１３に向けて不図示の通電コード接続部材を押し込み取り付ける。この押し込み動作の際に、突状端子部１３は、粘着シート２０を貫通する。
【００３２】
ステップ５では、同様の手順で、第２の導子収納部３２に収納された電極導子１０に粘着シート２０を貫通装着させる。
【００３３】
ステップ６では、第１及び第２の電極固定部３４、４４に固定された電極導子１０を取り外して、使用者に貼り付ける。これにより、使用者に電気刺激を付与することができる。
【００３４】
このように、本実施形態では、第１の電極固定部３４に対して円形状固定部材１１のみが固定され、末広がり環形状導電部材１２は固定されない。これにより、電極導子１０の着脱の際に、円形状固定部材１１よりも機械的強度の低い末広がり環形状導電部材１２に対して、過剰な負荷が加わるのを防止できる。
【００３５】
粘着シート２０を第１の粘着シート収納リブ部３９１に沿って位置決めするだけで、粘着シート２０の略中央に突状端子部１３を貫通装着することができる。これにより、使用者の負担を減らすことができる。
【００３６】
図３（ｂ）に図示するように、第１の円弧リブ部３４１、第１の外側リブ部３６ａ及び第１の内側リブ部３６ｂに隣接した領域に台形に類似した溝部が形成されている。これにより、図３（ｃ）に図示する粘着シート２０の収納状態において、粘着シート２０の底面部３１ａに対する接触面積を減らすことができる。これにより、ステップ６における電極導子１０の取り外しの際に、粘着シート２０の粘着力による負荷を軽減することができる。
【００３７】
電極導子１０の未使用時には、粘着シート２０が貫通装着された電極導子１０を第１の電極固定部３４に固定して、図３（ｄ）に図示するように、導子収容容器３０を閉じ状態にして収納する。これにより、異物の付着及び乾燥による粘着シート２０の粘着力の低下を抑制できる。
【００３８】
また、導子収納容器３０を閉状態にすることにより、突状端子部１３を有した電極導子１０を導子収納容器３０により完全に覆うことができる。これにより、当該部分との接触による怪我の防止、および電極端子１０の破損を防ぐことができる。
【００３９】
上述した実施形態では、第１及び第２の電極固定部３４、４４をそれぞれ別の導子収納部３１、３２に設ける構成としたが、一つの導子収納部に設けることもできる。この場合、導子収容容器３０の水平方向の寸法を大きく設定する必要がある。
【００４０】
さらに、円形状固定部材１１を他の形状（たとえば、矩形）に変更することができる。この場合、電極固定部３４、４４のリブ構造を当該他の形状に沿った形状に変更するのが好ましい。また、末広がり環形状収納部３６、４６についても電極導子１０の形状に応じて適宜変更することができる。
【００４１】
末広がり環形状収納部３６、４６は省略することができる。この場合、電極固定部３４、４４に埋没して固定された円形状固定部材１１と同一面内に末広がり環形状導電部材１２を位置させることができるように、底面部３１ａに溝部が形成されていればよい。
【００４２】
上述の実施形態では、位置決め用の目印として第１の粘着シート収納リブ部３９１を使用したが、他の構成を用いることもできる。例えば、切り込み線、マーキングを用いて底面部３１ａに目印を形成することもできる。
【００４３】
本発明を特定の態様により詳細に説明したが、本発明の精神および範囲を逸脱しないかぎり、様々な変更および改質がなされ得ることは、当業者には自明であろう。
【符号の説明】
【００４４】
１０    電極導子
１１    円形状固定部材
１２    末広がり環形状導電部材
１３    突状端子部
２０    粘着シート
２１    粘着導電面
３０    導子収納容器
３１    第１の導子収納部
３２    第２の導子収納部
３４    電極固定部
３４１  円弧リブ部
３４１ａ  長円弧リブ部
３４１ｂ  短円弧リブ部
３４２  微小突起部
３６  末広がり環形状収納部
３６ａ  外側リブ部
３６ｂ  内側リブ部
３９１  第１の粘着シート収納リブ部
【図１】
2011104745.tif 000003
【図２】
2011104745.tif 000004
【図３（ａ）】
2011104745.tif 000005
【図３（ｂ）】
2011104745.tif 000006
【図３（ｃ）】
2011104745.tif 000007
【図３（ｄ）】
2011104745.tif 000008
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
電極板から隆起する突状の接続端子部を有する電極導子および前記接続端子部に貫通装着される導電性を有した粘着シートを含む電気刺激部材を収納する第１の収納容器部と、
前記第１の収納容器部内に前記電気刺激部材を密閉する閉状態と、前記第１の収納容器部内の前記電気刺激部材を前記第１の収納容器部の外部に取り出し可能な開状態との間で動作可能な蓋部材と、
前記第１の収納容器は、板厚方向視において矩形の底面板部を有しており、
前記底面板部には、
前記電極板が着脱可能に固定される第１の係合リブ形状部であって、前記電極板の装着状態において、弾性力により前記電極板を挟圧する一対の突起部を有する第１の係合リブ形状部と、
前記第１の係合リブ形状部に前記電極板を固定した状態で、前記接続端子部に貫通装着される前記粘着シートの装着時の位置決めに用いられる第１の目印部と、を形成していることを特徴とする電気刺激部材の収納容器。
【請求項２】
前記蓋部材は、板厚方向視において矩形の底面板部を有しており、
前記底面板部には、
前記電極板が着脱可能に固定される第２の係合リブ形状部と、
前記第２の係合リブ形状部に前記電極板を固定した状態で、前記接続端子部に貫通装着される前記粘着シートの装着時の位置決めに用いられる第２の目印部と、を形成していることを特徴とする請求項１に記載の電気刺激部材の収納容器。
【請求項３】
前記閉状態において、前記第１の収納容器に収納した前記接続端子部及び前記第２の収納容器に収納した前記接続端子部が互いに干渉しないように、前記第１および第２の係合リブ形状部の形成位置を設定していることを特徴とする請求項１又は２に記載の電気刺激部材の収納容器。
【請求項４】
前記閉状態において、前記第１および第２の係合リブ形状部は、前記底面板部を含む面内方向の形成位置が互いに異なることを特徴とした請求項３に記載の電気刺激部材の収納容器。
【請求項５】
前記電極板は、
前記接続端子部が中心に設けられた円形状部と、
前記円形状部から離間する方向に末広がりの形状をなし、前記円形状部に対して互いに点対称な一対の末広がり環状部とを有し、
前記第１の係合リブ形状部は、前記円形状部を着脱可能に固定するために設けられており、
前記底面板部には、前記末広がり環状部よりも幅が広い第１の末広がり環状収納リブ形状部が形成されていることを特徴とする請求項１乃至４に記載の電気刺激部材の収納容器。
【手続補正２】
【補正対象書類名】明細書
【補正対象項目名】０００５
【補正方法】変更
【補正の内容】
【０００５】
上記課題を解決するために、本願発明の電気刺激部材の収納容器は、（１）電極板から隆起する突状の接続端子部を有する電極導子および前記接続端子部に貫通装着される導電性を有した粘着シートを含む電気刺激部材を収納する第１の収納容器部と、前記第１の収納容器部内に前記電気刺激部材を密閉する閉状態と、前記第１の収納容器部内の前記電気刺激部材を前記第１の収納容器部の外部に取り出し可能な開状態との間で動作可能な蓋部材と、前記第１の収納容器は、板厚方向視において矩形の底面板部を有しており、前記底面板部には、前記電極板が着脱可能に固定される第１の係合リブ形状部であって、前記電極板の装着状態において、弾性力により前記電極板を挟圧する一対の突起部を有する第１の係合リブ形状部と、前記第１の係合リブ形状部に前記電極板を固定した状態で、前記接続端子部に貫通装着される前記粘着シートの装着時の位置決めに用いられる第１の目印部と、を形成していることを特徴とする。
【国際調査報告】
2011104745.tif 000009
2011104745.tif 000010
2011104745.tif 000011
2011104745.tif 000012